(57)【要約】【課題】光を照射して表示媒体に対して画像を記録するときに、その画像を記録する光以外の光による画像のコントラスト低下を抑制すること。【解決手段】本発明の実施形態に係る記録装置１００およびプロジェクタ３００を用いて電子ペーパ２００に画像を記録するときには、電子ペーパ２００に照射されている外光４２０の光量を電子ペーパ２００のインピーダンスの変化から算出する。そして、算出した光量に応じて電子ペーパ２００に印加される記録電圧の周波数を変更する。これにより、外光４２０が電子ペーパ２００に照射されている状態でプロジェクタ３００の記録光４１０により画像の記録を行っても、外光４２０の影響による反射率の変化は抑えられ、記録された画像のコントラストの低下が抑制される。【選択図】図１
2011065078.tif 000002
【特許請求の範囲】
【請求項１】
印加される記録電圧および照射される光に応じた画像が記録される光記録型の表示媒体であって、照射される光量に応じてインピーダンスが変化する表示媒体のインピーダンスの変化に応じて値が変化する物理量を電気的に測定する測定手段と、
前記測定手段によって測定された物理量から算出された当該表示媒体へ照射されている照射光量より大きい光量が、当該表示媒体に照射されることによって画像が記録されるように決められた記録電圧を、当該表示媒体に対して印加する電圧印加手段と
を具備することを特徴とする記録装置。
【請求項２】
前記表示媒体に電気的に接続する接続手段をさらに具備し、
前記測定手段は、前記接続手段によって接続された表示媒体に係る物理量を測定する
ことを特徴とする請求項１に記載の記録装置。
【請求項３】
印加される記録電圧および照射される光に応じた画像が記録される光記録型の表示媒体であって、光が照射されるとその光量に応じてインピーダンスが変化する表示媒体に電気的に接続する接続手段と、
前記接続手段によって接続された表示媒体のインピーダンスの変化に応じて値が変化する物理量を電気的に測定する測定手段と、
前記測定手段によって物理量を測定したときに前記表示媒体に照射されていた光量より大きい光量が、当該表示媒体に照射されることによって画像が記録されるように、当該物理量に応じて決められた記録電圧を当該表示媒体に対して印加する電圧印加手段と
を具備することを特徴とする記録装置。
【請求項４】
前記電圧印加手段が印加する記録電圧は、前記測定手段によって測定された物理量に応じた周波数の電圧である
ことを特徴とする請求項１乃至請求項３のいずれかに記載の記録装置。
【請求項５】
前記表示媒体に対して記録すべき画像に応じた光を照射する光照射手段であって、前記測定手段によって前記物理量を測定するときには、当該表示媒体に対しての光の照射を停止する光照射手段をさらに具備する
ことを特徴とする請求項１乃至請求項４のいずれかに記載の記録装置。
【請求項６】
前記光照射手段は、前記電圧印加手段によって印加される記録電圧に応じて決められた光量で、前記表示媒体に対して光を照射する
ことを特徴とする請求項５に記載の記録装置。
【請求項７】
前記表示媒体は、画像が記録されるときに光が照射される面側に当該画像が表示される
ことを特徴とする請求項１乃至請求項６のいずれかに記載の記録装置。
【発明の詳細な説明】
【技術分野】
【０００１】
本発明は、記録装置に関する。
【背景技術】
【０００２】
光記録型の表示媒体に対して画像を記録するときに、外光の影響を抑制するために赤外光による画像の記録を行って、記録される画像のコントラストの低下を抑制する技術が開示されている（例えば、特許文献１）。
【先行技術文献】
【特許文献】
【０００３】
【特許文献１】特開２００８−８３５８１号公報
【発明の概要】
【発明が解決しようとする課題】
【０００４】
本発明は、光を照射して表示媒体に対して画像を記録するときに、その画像を記録する光以外の光による画像のコントラスト低下を抑制することを目的とする。
【課題を解決するための手段】
【０００５】
本発明の請求項１に係る記録装置は、印加される記録電圧および照射される光に応じた画像が記録される光記録型の表示媒体であって、照射される光量に応じてインピーダンスが変化する表示媒体のインピーダンスの変化に応じて値が変化する物理量を電気的に測定する測定手段と、前記測定手段によって測定された物理量から算出された当該表示媒体へ照射されている照射光量より大きい光量が、当該表示媒体に照射されることによって画像が記録されるように決められた記録電圧を、当該表示媒体に対して印加する電圧印加手段とを具備することを特徴とする。
【０００６】
本発明の請求項２に係る記録装置は、請求項１に記載の記録装置において、前記表示媒体に電気的に接続する接続手段をさらに具備し、前記測定手段は、前記接続手段によって接続された表示媒体に係る物理量を測定することを特徴とする。
【０００７】
本発明の請求項３に係る記録装置は、印加される記録電圧および照射される光に応じた画像が記録される光記録型の表示媒体であって、光が照射されるとその光量に応じてインピーダンスが変化する表示媒体に電気的に接続する接続手段と、前記接続手段によって接続された表示媒体のインピーダンスの変化に応じて値が変化する物理量を電気的に測定する測定手段と、前記測定手段によって物理量を測定したときに前記表示媒体に照射されていた光量より大きい光量が、当該表示媒体に照射されることによって画像が記録されるように、当該物理量に応じて決められた記録電圧を当該表示媒体に対して印加する電圧印加手段とを具備することを特徴とする。
【０００８】
本発明の請求項４に係る記録装置は、請求項１乃至請求項３のいずれかに記載の記録装置において、前記電圧印加手段が印加する記録電圧は、前記測定手段によって測定された物理量に応じた周波数の電圧であることを特徴とする。
【０００９】
本発明の請求項５に係る記録装置は、請求項１乃至請求項４のいずれかに記載の記録装置において、前記表示媒体に対して記録すべき画像に応じた光を照射する光照射手段であって、前記測定手段によって前記物理量を測定するときには、当該表示媒体に対しての光の照射を停止する光照射手段をさらに具備することを特徴とする。
【００１０】
本発明の請求項６に係る記録装置は、請求項５に記載の記録装置において、前記光照射手段は、前記電圧印加手段によって印加される記録電圧に応じて決められた光量で、前記表示媒体に対して光を照射することを特徴とする。
【００１１】
本発明の請求項７に係る記録装置は、請求項１乃至請求項６のいずれかに記載の記録装置において、前記表示媒体は、画像が記録されるときに光が照射される面側に当該画像が表示されることを特徴とする。
【発明の効果】
【００１２】
本発明の請求項１、請求項３に記載の発明によれば、光を照射して表示媒体に対して画像を記録するときに、その画像を記録する光以外の光による画像のコントラスト低下を抑制することができる。
本発明の請求項２に記載の発明によれば、光記録型の表示媒体に対して照射されている光量に応じた情報をその表示媒体から取得することができる。
本発明の請求項４に記載の発明によれば、測定された物理量に応じて記録電圧の周波数を変化させない場合に比べ、画像を記録するときの表示媒体の光感度を容易に変化させることができる。
本発明の請求項５に記載の発明によれば、表示媒体に記録光が照射されているときに物理量を測定する指示があっても、表示媒体に照射されている光のうち、画像を記録するときに照射される光以外の光についての光量に応じた物理量を測定することができる。
本発明の請求項６に記載の発明によれば、画像を記録する光の光量を一定にする場合に比べ、表示媒体に画像を記録するために必要な光量に調整して照射することができる。
本発明の請求項７に記載の発明によれば、表示媒体に記録すべき画像を視認しながら、表示媒体への画像の記録を行うことができる。
【図面の簡単な説明】
【００１３】
【図１】実施形態に係る記録装置の構成を示すブロック図である。
【図２】実施形態に係る電子ペーパの構成を示す断面図である。
【図３】電子ペーパの反射率特性の一例を示す図である。
【図４】実施形態に係る測定部の構成を説明する図である。
【図５】実施形態に係る周波数設定情報を示す図である。
【発明を実施するための形態】
【００１４】
＜実施形態＞
図１は、本発明の実施形態に係る記録装置１００の構成を示すブロック図である。記録装置１００は、記録装置１００に保持されると、電極１４１、１４２を介して電気的に接続される光記録型の表示媒体である電子ペーパ２００に対して、画像を示す画像情報に応じた記録光４１０をプロジェクタ３００に照射させて、画像を記録する装置である。このとき、電子ペーパ２００に対しては、外光４２０も照射される。この外光４２０は、記録光４１０以外の光をいい、例えば、蛍光灯、白熱灯などの各種光であり、以下の説明においては、電子ペーパ２００の全体に照射されているものとする。
【００１５】
記録装置１００は、制御部１１０、操作部１２０、測定部１３０、電圧印加部１４０および情報取得部１５０を備える。
制御部１１０は、ＣＰＵ（Central Processing Unit）などの演算装置やメモリなどの記憶手段を備え、記録装置１００の各部の動作を制御する他、記録装置１００に接続されたプロジェクタ３００からの記録光の制御も行う。この記憶手段には、後述する周波数設定情報、対応関係情報が記憶されている。
操作部１２０は、利用者が記録装置１００に対して選択、確認、取り消しなどの指示を行うための操作を行うタッチパネル、キーボードなどの操作手段であって、操作内容を示す情報を制御部１１０に出力する。制御部１１０の制御によって情報が表示される表示画面を有していてもよい。
【００１６】
測定部１３０は、電子ペーパ２００が電極１４１、１４２を介して電気的に接続されているときに、制御部１１０の制御により、電子ペーパ２００のインピーダンスの変化に応じて値が変化する物理量、この例においては電圧値を測定する。電子ペーパ２００は、後述するように、光が照射されるとその光量に応じて、電極１４１、１４２と接続する電極２２１、２６１間のインピーダンスが変化する構成となっている。そのため、電子ペーパ２００に記録光４１０が照射されていないときであっても、外光４２０の光量に応じて、電子ペーパ２００のインピーダンスが変化する。測定部１３０の詳細については後述する。
【００１７】
電圧印加部１４０は、制御部１１０の制御により、電子ペーパ２００に画像情報を記録するときに用いられる電圧である記録電圧、または測定部１３０における測定を行うときに用いられる測定電圧を発生させる。この例においては、記録電圧、測定電圧ともに周期的に電圧値が変化する電圧である。そして、電圧印加部１４０は、発生させた電圧を、電極１４１、１４２間に印加するが、電極１４２については、測定部１３０を介して印加する。記録装置１００に電子ペーパ２００が電気的に接続されているときに、電圧印加部１４０が記録電圧、測定電圧を発生させると、電子ペーパ２００に記録電圧、測定電圧に応じた電圧が印加される。
【００１８】
情報取得部１５０は、図示しない記憶手段、外部装置から、制御プログラム、画像を示す画像情報など各種情報を取得する。この例においては、有線、無線などによる通信手段を用いて外部装置からの情報取得の機能を実現している。なお、外部装置より、各種情報を取得する手段は、通信手段に限らず、ＵＳＢ（Universal Serial Bus）メモリ、メモリカードなどの半導体メモリ、ＣＤ（Compact Disc）、ＤＶＤ（Digital Versatile Disk）などの光ディスクなどから取得するインターフェースであってもよい。
プロジェクタ３００は、制御部１１０の制御によって、記録光４１０を照射することによって、照射先にあるスクリーンなどに画像を投影する液晶プロジェクタなどの投影機である。この例においては、スクリーンは電子ペーパ２００に相当する。
【００１９】
図２は、本発明の実施形態に係る光記録型の表示媒体である電子ペーパ２００の構成を示す図である。電子ペーパ２００は、記録電圧が印加されているときに照射された記録光４１０に応じて画像が記録され、記録された画像を表示する光記録型表示媒体である。電子ペーパ２００は、フィルム基板２１０、２７０と、透明電極２２０、２６０と、感光層２３０と、着色層２４０と、液晶層２５０とを有する。
【００２０】
フィルム基板２１０、２７０は、電子ペーパ２００の表面の保護、形状の支持などのために設けられた層である。例えば、ＰＥＴ（ポリエチレンテレフタレート）である。フィルム基板２７０は、プロジェクタ３００によって記録光４１０が照射される側（外光４２０が照射される側）に設けられている。また、記録された画像を使用者が観察する側も、フィルム基板２７０が設けられた側である。すなわち、この例における電子ペーパ２００は、画像を記録するときに記録光４１０を照射する面側に、記録された画像が表示される。
透明電極２２０、２６０は、例えば、ＩＴＯ（酸化インジウム錫）を有する層である。透明電極２２０、２６０のそれぞれは、電極２２１、２６１に接続されている。この電極２２１、２６１は、記録装置１００に電子ペーパ２００が保持されているときには、電極１４１、１４２と接続される。その状態で電圧印加部１４０から電極１４１、１４２および電極２２１、２６１を介して電圧が印加されると、透明電極２２０、２６０間に電位差が生じる。
【００２１】
感光層２３０は、光が照射されると、光電荷が発生して導電率を異ならせる導電体を有する感光層であって、例えば、有機光導電体（Organic Photoconductor：ＯＰＣ）を用いる。感光層２３０は、光を吸収すると、吸収した部分の抵抗値が低下して、光量に応じてインピーダンスが変化する。したがって、電圧印加部１４０によって透明電極２２０、２６０間に電圧が印加されているときには、その電圧は透明電極２２０と透明電極２６０との間に挟まれた各層により分圧されるが、感光層２３０の抵抗値が低下すると、他の層の分圧比が増加し、感光層２３０の分圧比が低下する。ここで、各層は直列に接続され、感光層２３０のインピーダンスが変化すると、電極２２１、２６１間のインピーダンス（以下、電子ペーパ２００のインピーダンスという）も変化することになる。
着色層２４０は、液晶層２５０が光を透過する場合に観察される層である。この例において、着色層２４０は、液晶層２５０を透過した光を吸収することにより黒色を呈する。なお、感光層２３０で入射光を吸収させる構成とすれば、着色層２４０は用いなくてもよい。
【００２２】
液晶層２５０は、印加される電圧に応じて光の反射状態を異ならせる素子を含む層である。液晶層２５０は、バインダー樹脂中にマイクロカプセルなどのカプセルに内包されたコレステリック液晶表示素子（以下、液晶という）を分散させたものである。液晶は、螺旋状に配向した棒状分子であり、プレーナ配向状態、フォーカルコニック配向状態、ホメオトロピック配向状態の３種類の配向状態となりうる。このうち、プレーナ配向状態とフォーカルコニック配向状態は、無電界で双安定に存在する。ホメオトロピック配向状態とは、液晶層２５０に螺旋配向が解けるある特定の値以上の強度の電界が発生しているときに現れる配向状態であり、この電界を発生させている電圧の印加が停止されると、プレーナ配向状態となる。プレーナ配向状態においては、液晶の螺旋ピッチに応じた波長の光を干渉反射する特性を有し、この例においては、白色を呈する。一方、フォーカルコニック配向状態にある場合は光を透過して着色層２４０の色（黒色）を呈する。
【００２３】
図３は、電子ペーパ２００の反射率特性の一例を示す図である。図３（ａ）は、この例における電子ペーパ２００に対して、予め決められた実効電圧値の記録電圧が印加されているときに光を照射し、記録電圧の印加を停止した場合に、電子ペーパ２００の画像が観察される側から入射した光の反射率を測定した結果を示したものである。縦軸は反射率を示し、横軸は照射した光量を示す。また、複数の反射率特性の各々は、記録電圧の周波数が異なる場合であり、１０、２０、３０、４０、５０Ｈｚである場合を示している。
図３（ａ）に示すように、記録電圧の周波数が低いほど小さい光量で反射率が増大するようになっている。これは以下の理由による。
液晶層２５０の時定数の影響により、液晶層２５０に分圧される実際の電圧は、記録電圧の周波数に依存する。すなわち、時定数の影響により、液晶層２５０に分圧される電圧の電圧値は、時間の経過とともに上昇するが、記録電圧の周波数が高いほど、液晶層２５０に分圧される実際の電圧値が上昇中に記録電圧の電圧値の正負が入れ替わってしまう。また、時間の経過とともに上昇する速さは感光層２３０のインピーダンスに依存、すなわち照射される光量に依存する。したがって、記録電圧の周波数が高いほど、感光層２３０に照射する光量を大きくしないと、液晶層２５０の液晶をプレーナ配向状態にする電圧まで上昇しない。この原理により、図３（ａ）に示す反射率特性となる。
以下の説明においては、プレーナ配向状態であり白色を呈する状態は反射率が２７％以上である状態とし、フォーカルコニック配向状態であり黒色を呈する状態は反射率が５％以下である状態をいうものとする。図３（ｂ）は、この前提において、記録電圧の各周波数において黒色を呈する状態となる最大の照射光量（以下、黒色最大光量という）と白色を呈する状態となる最小の照射光量（以下、白色最小光量という）との関係を示した図である。
【００２４】
このように、画像を記録するときの光量と反射率との関係とは記録電圧の周波数により変化する。すなわち、電子ペーパ２００に画像を記録するときに必要な光量は、記録電圧の周波数に応じて決定されるから、記録電圧の周波数に応じて画像を記録するための光の感度が変化していることになる。
【００２５】
図４は、測定部１３０の構成を説明する図である。測定部１３０は、スイッチ１３１、負荷１３２および電圧測定部１３３を有する。スイッチ１３１は、制御部１１０の制御により接続先を切り替える。具体的には、制御部１１０の制御によって電圧印加部１４０が記録電圧を発生させているときには、スイッチ１３１は、電圧印加部１４０と電極１４２とを接続するように制御される。一方、制御部１１０の制御によって電圧印加部１４０が測定電圧を発生させているときには、スイッチ１３１は、電圧印加部１４０と電極１４２とを負荷１３２を介して接続するように制御される。図３に示す状態は、スイッチ１３１が負荷１３２を介して電圧印加部１４０と電極１４２とを接続している状態を示している。
【００２６】
負荷１３２は、予め決められたインピーダンスを持つ負荷である。電圧測定部１３３は、電圧印加部１４０において測定電圧を発生させているときに、負荷１３２の両端の電位差を測定し、制御部１１０に出力する。上述したように電子ペーパ２００における感光層２３０は、感光層２３０に照射された光量に応じてインピーダンスが変化するため、電圧測定部１３３において測定される電位差についても、照射された光量に応じて変化する。
【００２７】
制御部１１０には、電圧測定部１３３において測定される電位差と、感光層２３０に照射された光量との関係を予め対応付けた対応関係情報（例えば、算出式など）が予め記憶されている。そして、制御部１１０は、電圧測定部１３３において測定された電位差を取得すると、この対応関係を用いて感光層２３０に照射されている光量を算出する。なお、この電位差は静的なものすなわち固定値として測定されるものに限らず、時間変化するものであってもよい。この場合、対応関係情報は、電位差の変化の態様と照射された光量との関係を対応付けたものであればよい。
また、制御部１１０には、このようにして算出された光量から記録電圧の周波数を決定するための周波数設定情報が記憶されている。
【００２８】
図５は、周波数設定情報を説明する図である。周波数設定情報は、図３（ｂ）に示した記録電圧の周波数、黒色最大光量および白色最小光量の関係に応じて定められた情報であり、上述のようにして算出された光量（以下、算出光量という）の範囲、記録電圧の周波数およびプロジェクタ３００から照射すべき記録光４１０の光量（記録光量）を対応付けた情報である。この例においては、記録電圧の周波数は離散的に定めているが、算出光量、記録光量、および記録電圧の周波数を関係式により対応付けたものとしてもよい。
図５に示す周波数設定情報は、例えば、算出光量「２０μＷ／ｃｍ2未満」であれば周波数「１０Ｈｚ」記録光量「９０μＷ／ｃｍ2」、算出光量「２０μＷ／ｃｍ2以上６０μＷ／ｃｍ2未満」であれば周波数「２０Ｈｚ」記録光量「２２０μＷ／ｃｍ2」というように対応している。
これは、図３（ｂ）に示した各周波数における黒色最大光量にマージンを持たせて算出光量の範囲を定め、白色最小光量から算出光量の範囲の最小値を減じた値にマージンを持たせて記録光量として定めたものである。すなわち、周波数設定情報は、算出光量が照射されても画像が記録されない記録電圧の周波数と、その周波数のときに、画像を記録するために必要な記録光４１０の光量とを示す情報である。なお、周波数設定情報には白色最小光量の情報が含まれるようにして、決定した周波数に対応する白色最小光量から算出光量を減じた値にマージン（例えば＋１０％）を持たせたものを記録光量としてもよい。
【００２９】
次に、プロジェクタ３００が接続された記録装置１００が電子ペーパ２００に画像を記録するときの動作について説明する。まず、記録装置１００に電子ペーパ２００が保持された状態で、利用者による操作部１２０の操作などによって画像の記録指示がなされると、以下に画像記録処理を開始する。
画像記録処理が開始されると、制御部１１０は、電圧印加部１４０に測定電圧を発生させ、測定部１３０のスイッチ１３１を負荷１３２に接続されるように切り替える。また、制御部１１０は、接続されているプロジェクタ３００から電子ペーパ２００に対して光が照射されないように制御する。この状態においては、電子ペーパ２００には外光４２０が照射されている。したがって、電圧測定部１３３から出力される電位差は外光４２０の光量に応じたものになっている。
【００３０】
制御部１１０は、電圧測定部１３３から出力される電位差から、対応関係情報を参照して、電子ペーパ２００に照射されている外光４２０の光量（算出光量）を算出し、測定電圧の発生を停止させるように電圧印加部１４０を制御する。そして、制御部１１０は、スイッチ１３１の接続を切り替えて、電圧印加部１４０と電極１４２とを負荷１３２を介さない接続とする。
【００３１】
スイッチ１３１の接続を切り替えると、制御部１１０は、周波数設定情報を参照し、算出光量に対応する記録電圧の周波数および記録光量を決定する。そして、制御部１１０は、電圧印加部１４０を制御して、決定した周波数の記録電圧を発生させる。また、制御部１１０は、情報取得部１５０から、記録すべき画像（この例においては白、黒の２値により構成される画像）を示す画像情報を取得し、プロジェクタ３００を制御して、画像情報に応じた記録光４１０を照射させ、電子ペーパ２００に画像情報が示す画像を投影させる。このとき、制御部１１０は、画像の白色を呈するべき領域が決定した記録光量になるように、この記録光４１０の光量を制御する。制御部１１０は、画像情報に応じた記録光４１０を照射させる前に、電子ペーパ２００に記録されている画像を消去して全面を白色または黒色とする処理（リセット処理）を行ってもよい。
【００３２】
なお、プロジェクタ３００から出射される光の強度が同じであってもプロジェクタと電子ペーパ２００との距離によっては、電子ペーパ２００に照射される光量が変化するから、制御部１１０は、この距離に応じて、プロジェクタ３００から出射される光の強さを制御する。プロジェクタ３００から出射される光の強度と、電子ペーパ２００に照射される光量との距離に応じた対応関係は、制御部１１０に予め設定しておけばよい。
また、制御部１１０は、プロジェクタ３００から特定の強さの光を出射させて電子ペーパ２００の感光層２３０の全面に照射した状態で、上述した光量を算出する処理を行って、記録光４１０の光量と外光４２０の光量との合計の光量を算出し、別途算出した外光４２０の光量との差分から記録光４１０の光量を取得しておいてもよい。制御部１１０は、このようにして、記録光４１０の光量とプロジェクタ３００から出射される光の強さとの対応関係を認識してもよい。
【００３３】
このようにして、電子ペーパ２００の感光層２３０に照射される記録光４１０は、記録する画像のうち白色を呈するべき領域には、外光４２０の光量と記録光４１０の光量とを合わせた光量となっている。一方、黒色を呈するべき領域には、外光４２０の光量となっている。なお、黒色を呈するべき領域にも、記録光４１０の一部が到達する場合もあるが、これによる光量の増加分は外光４２０の光量に比べ非常に小さいものであるため、この例においては到達していないものとする。また、到達しているものとしても、この増加分を周波数設定情報において定められる算出光量の範囲のマージンに含むように設定しておけばよい。例えば、増加分が「５μＷ／ｃｍ2」である場合には、算出光量の範囲を全体的に「−５μＷ／ｃｍ2」とすればよい。
【００３４】
ここで、黒色を呈するべき領域に照射されている光量は、上述したように、外光４２０の光量であり、算出光量と概ね一致しているから、印加中の記録電圧の周波数に対応した黒色最大光量未満の光量となっている。一方、白色を呈するべき領域に照射されている光量は、上述したように、外光４２０の光量と記録光４１０の光量とを合わせた光量であるが、これは算出光量と記録光量とを合わせた光量に概ね一致しているから、印加中の記録電圧の周波数に対応した白色最小光量を超えた光量となっている。したがって、制御部１１０が電圧印加部１４０を制御して記録電圧の発生を停止させると、電子ペーパ２００にプロジェクタ３００が投影した画像が記録される。
【００３５】
このとき、外光４２０によっても画像が記録される状態の周波数で記録電圧が印加された場合には、外光４２０が照射された表示領域全体の反射率が上昇することになり、記録される画像のコントラストが低下するが、本発明の構成においては、外光４２０の光量では黒色最大光量を超えないように記録電圧の周波数を決定しているから、コントラストの低下が抑制される。
【００３６】
このように、本発明の実施形態に係る記録装置１００およびプロジェクタ３００を用いて電子ペーパ２００に画像を記録するときには、電子ペーパ２００に照射されている外光４２０の光量を電子ペーパ２００のインピーダンスの変化から算出し、算出した光量に応じて電子ペーパ２００に印加される記録電圧の周波数を変更する。これにより、外光４２０が電子ペーパ２００に照射されている状態でプロジェクタ３００の記録光４１０により画像の記録を行っても、外光４２０の影響による反射率の変化は抑えられ、記録された画像のコントラストの低下が抑制される。
【００３７】
以上、本発明の実施形態について説明したが、本発明は以下のように、さまざまな形態で実施可能である。
【００３８】
＜変形例１＞
上述した実施形態においては、制御部１１０は、電子ペーパ２００のインピーダンスの変化に応じた情報として、電圧測定部１３３において負荷１３２に生じる電位差を測定し、電子ペーパ２００の感光層２３０に照射される外光４２０の光量を算出していたが、他の測定方法によりインピーダンスの変化に応じた情報を取得するようにしてもよい。例えば、インピーダンスアナライザなどのインピーダンスの変化を直接測定する技術を用いてもよい。
また、別の態様としては、負荷１３２の時定数を取得しておき、負荷１３２に生じる電位差の時間変化を測定し、時間変化の態様と時定数との関係から光量を算出するようにしてもよいし、測定電圧の周波数と、時定数および測定された電位差の最大値との関係から外光４２０の光量を算出するようにしてもよい。
このように、測定部１３０において測定する内容は、電子ペーパ２００のインピーダンスの変化により値が変化する物理量を測定するものであればどのような測定であってもよい。
【００３９】
また、負荷１３２の時定数を、液晶層２５０に概ね等しい時定数として、液晶層２５０に分圧されている電圧の時間変化に対応して変化する電位差が、負荷１３２に生じるようにしてもよい。このようにすると、液晶層２５０に分圧されている電圧の時間変化を測定することになるから、液晶層２５０と負荷１３２とのインピーダンスの比がわかっていれば、実際に液晶層２５０に分圧されている電圧についても測定していることになる。
そこで、制御部１１０は、測定部１３０および電圧印加部１４０を制御して、測定電圧の周波数を変更しながら液晶層２５０に分圧されている電圧の時間的変化を測定させる。そして、制御部１１０は、この測定結果と、予め記憶した液晶層２５０の配向状態（反射率）の電圧依存性を示す情報とにより、外光４２０の光量が黒色最大光量未満となる周波数の下限を決定するようにしてもよい。そして、制御部１１０は、画像を記録するときには、電圧印加部１４０を制御して、決定した周波数の下限以上となる周波数の記録電圧を印加させるようにすればよい。
【００４０】
＜変形例２＞
上述した実施形態においては、制御部１１０は、電圧測定部１３３における電位差の測定結果から外光４２０の光量（感光層２３０に照射されている光量）を算出し、算出した光量から記録電圧の周波数を決定していたが、光量の算出を行わずに、電圧測定部１３３における電位差の測定結果から記録電圧の周波数を決定してもよい。この場合、制御部１１０には、測定される電位差と感光層２３０に照射された光量との関係を対応付けた対応関係情報、および算出された光量と選択すべき記録電圧の周波数とを対応付けた周波数設定情報が記憶されていたが、これに代えて、測定される電位差から選択すべき記録電圧の周波数とを直接対応付けた情報が記憶されるようにすればよい。そして、制御部１１０は、この情報を用いて、電圧測定部１３３における電位差の測定結果から記録電圧の周波数を決定すればよい。
なお、変形例１で述べた負荷１３２の時定数を、液晶層２５０に概ね等しい時定数とした場合についても、本変形例のように外光４２０の光量を算出せずに記録電圧の周波数を決定する一態様である。
【００４１】
＜変形例３＞
上述した実施形態においては、制御部１１０は、記録電圧の周波数を変更することにより、電子ペーパ２００に画像を記録するための光の感度を変更させ、記録される画像への外光４２０によるコントラスト低下を抑制していたが、周波数を変更する場合に限らず、記録電圧の実効電圧値を変更するようにしてもよい。すなわち、液晶層２５０の時定数の影響により、周波数が高くなるほど液晶層２５０に印加される電圧の最大値は低くなるが、実効電圧値を増減させれば、液晶層２５０に印加される電圧の最大値についても増減する。したがって、実効電圧値を増加させれば黒色最大光量、白色最小光量ともに減少し、実効電圧値を減少させれば黒色最大光量、白色最小光量ともに増加することになる。
そして、制御部１１０は、記録電圧の実効電圧値を増減させた制御を行う場合には、その増減により液晶層２５０に印加される電圧が増減する記録電圧の周波数を設定するものとする。
【００４２】
＜変形例４＞
上述した実施形態においては、電子ペーパ２００に記録光４１０を照射するのは、プロジェクタ３００であったが、電子ペーパ２００の感光層２３０に対して、外光４２０とは別の光を照射する装置であれば、どのような装置であってもよい。例えば、筆記具の形状を有し、その先端部から光を照射する装置（以下、光ペンという）などを用いれば、記録電圧が電子ペーパ２００に印加されているときに、利用者が光ペンを用いて、電子ペーパ２００に光を照射して文字などを描くように操作すると、その光が感光層２３０に照射され、利用者が描いた文字などが記録される。この場合には、記録光４１０は、画像の投影を行うものでなくてもよいから、記録すべき画像を投影させる制御部１１０よる制御は不要である。
【００４３】
＜変形例５＞
上述した実施形態においては、制御部１１０は、電子ペーパ２００に画像を記録する前に、外光４２０の光量を算出する処理を行っていたが、画像を記録する直前のタイミングでないときに光量を算出する処理を行ってもよい。この場合には、利用者が操作部１２０を操作して、光量を算出する処理を行う指示をした場合に、実行されるようにすればよい。そして、制御部１１０は、算出光量を示す情報を記憶しておいてもよく、また、算出結果に応じた情報が報知されるようにしてもよい。報知は、表示画面を有していればその画面に表示することによるものであってもよいし、スピーカなどを有していれば音によるものであってもよい。すなわち、実施形態における記録装置１００を光量算出装置として機能するようにしてもよい。
この構成である場合には、画像を記録するときには、その直前のタイミングで光量の算出をするのではなく、制御部１１０が上述のようにして記憶した算出光量を示す情報を用いてもよい。
【００４４】
＜変形例６＞
上述した実施形態においては、制御部１１０は、電子ペーパ２００に測定電圧を印加するときには、プロジェクタ３００からの記録光４１０の照射を停止するようにしていたが、停止させる制御を行わない構成としてもよい。この場合には、利用者は、プロジェクタ３００から照射される記録光４１０を電子ペーパ２００の感光層２３０に照射されないようにしてから、測定電圧が印加されるように操作部１２０を操作するようにすればよい。記録光４１０が照射されないようにする方法としては、例えば、利用者が、プロジェクタ３００向きを変えて光照射方向を変えるようにしてもよいし、記録光４１０が出射される領域をふさいでもよい。また、プロジェクタ３００における操作部などを利用者が操作するなどして、記録光４１０の照射を停止させるようにしてもよい。
【００４５】
＜変形例７＞
上述した実施形態においては、制御部１１０は、プロジェクタ３００から照射される記録光４１０の光量を周波数設定情報を参照して決定した記録光量に制御していたが、この制御を行う前の記録光４１０の光量が、決定した記録光量以上である場合には、その光量のまま照射させてもよい。
また、記録電圧の周波数として設定される上限周波数が定められている場合は、記録光４１０の光量が、その上限周波数のときの白色最小光量を超えるものであれば、制御部１１０は、記録光量の決定を行わなくてもよい。
【００４６】
＜変形例８＞
上述した実施形態においては、画像の記録を行うときには、測定部１３０のスイッチ１３１の接続により、電圧印加部１４０と電子ペーパ２００との間に負荷１３２を有しない構成を実現していたが、スイッチ１３１を設けずに、画像の記録を行うときにおいても、負荷１３２が接続されているものとしてもよい。
【００４７】
＜変形例９＞
上述した実施形態においては、電子ペーパ２００に画像が記録されるときには、白色、黒色の２値の階調で記録されるものとして説明したが、その中間階調を有する画像が記録されるようにしてもよい。例えば、制御部１１０は、中間階調において必要な光量を記録電圧の周波数ごとに定めた情報を周波数設定情報に登録しておく。そして、制御部１１０は、記録すべき画像のうち中間階調で記録されるべき領域に照射すべき光量を、周波数設定情報を参照して決定し、電子ペーパ２００の感光層２３０に、決定した光量で記録光４１０が照射されるように、プロジェクタ３００を制御すればよい。
【００４８】
＜変形例１０＞
上述した実施形態においては、周波数設定情報および対応関係情報は、制御部１１０に予め記憶されていたが、電子ペーパ２００の種類ごとに対応付けた周波数設定情報および対応関係情報を記憶し、制御部１１０は、記録装置１００に保持される電子ペーパ２００の種類に対応する周波数設定情報および対応関係情報を用いて、実施形態における処理を行うようにしてもよい。
電子ペーパ２００の種類については、利用者が操作部１２０を操作して設定することで制御部１１０に認識させてもよい。また、電子ペーパ２００は、自らの種類を示す識別情報を記録したＲＦＩＤ（Radio Frequency IDentification）を有するものとする一方、記録装置１００は、保持された電子ペーパ２００の識別情報を読み取る読取手段を有するようにしてもよい。そして、制御部１１０は、読取手段によって読み取った識別情報により電子ペーパ２００の種類を認識してもよい。
このように、電子ペーパ２００におけるインピーダンス特性、反射率特性などがその種類に対応して、制御部１１０は、その特性に応じて記録電圧、記録光４１０を制御してもよい。
【００４９】
＜変形例１１＞
上述した実施形態においては、制御部１１０において、感光層２３０に照射されている光量を算出し、記録光量、記録電圧の周波数を決定していたが、これらの処理の全部または一部は、記録装置１００の図示しないインターフェイスなどに接続されたコンピュータなどの外部装置において処理してもよい。この場合には、外部装置は、電圧部１３０における測定結果を取得し、決定した記録光量、記録電圧の周波数を示す情報を記録装置１００に出力するようにすればよい。そした、制御部１１０は、出力された記録光量、記録電圧の周波数に応じてプロジェクタ３００、電圧印加部１４０を制御すればよい。
【００５０】
＜変形例１２＞
上述した実施形態においては、感光層２３０に照射されている光量を電子ペーパ２００のインピーダンスの変化から算出したが、制御部１１０は、照射される光量を測定する光量計などの測定結果を取得して、取得した測定結果に応じて感光層２３０に照射されている光量を算出してもよい。なお、光量計が設置される位置により、光量計に照射される光量と、感光層２３０に照射される光量とが異なるものとなる場合には、さらに、光量計が設置されている位置と電子ペーパ２００が設置されている位置との関係に応じて、光量を算出してもよい。
【符号の説明】
【００５１】
１００…記録装置、１１０…制御部、１２０…操作部、１３０…測定部、１４０…電圧印加部、１４１，１４２…電極、１５０…情報取得部、２００…電子ペーパ、２１０，２７０…フィルム基板、２２０，２６０…透明電極、２２１，２６１…電極、２３０…感光層、２４０…着色層、２５０…液晶層、３００…プロジェクタ、４１０…記録光、４２０…外光
【図１】
2011065078.tif 000003
【図２】
2011065078.tif 000004
【図３】
2011065078.tif 000005
【図４】
2011065078.tif 000006
【図５】
2011065078.tif 000007